(57)【要約】【課題】１枚の段ボール板紙から形成することができて低コストであるだけでなく、展開状態のときに損傷し難く且つ組立て容易な包装箱を提供する。【解決手段】胴部２の四隅部に４つのコーナー支持部３ａ，３ｂを設ける。２つの第１コーナー支持部３ａは、第２側板５の一側の上縁から第１連結片９を内方に折り曲げ、第１連結片９に連設された第１対向片１２を下方に折り曲げ、第１対向片１２に連設された第１帯片１３を多角筒状に折り曲げて形成する。２つの第２コーナー支持部３ｂは、第２側板５の他側の上縁から第２連結片１０を内方に折り曲げ、第２連結片１０に連設された第２対向片１７を下方に折り曲げ、第２対向片１７に連設された第２帯片１８を多角筒状に折り曲げて形成する。【選択図】図２
2010260579.tif 000002
【特許請求の範囲】
【請求項１】
所定形状に打ち抜いた１枚の段ボール板紙から形成される包装箱であって、
一対の第１側板と一対の第２側板とが折目線を介して交互に配されて一方向に連設され、各折目線に沿って第１側板と第２側板とが直角となるように折り曲げて端部に位置する第１側板と第２側板とを連結することにより、両第１側板同士と両第２側板同士とが夫々対向する四角筒状の胴部が形成され、各第１及び第２側板の下縁に連設された底板フラップにより底部が閉塞されて胴部内に被包装物を収容するものにおいて、
前記胴部の内部の四隅部に形成されて該胴部内の被包装物に当接する多角筒状の４つのコーナー支持部と、両第１側板の上縁に連設されて胴部の上部を閉塞する一対の天板フラップとを備え、
前記コーナー支持部のうちの２つは、各第２側板の一側の上縁に連設された第１連結片を内方に折り曲げ、該第１連結片の内方端に連設された第１対向片を下方に折り曲げて第２側板に対向させ、該第１対向片に連設され第２側板に沿って該第２側板の他側に向かって延びる第１帯片を多角筒状に折り曲げて該第１帯片の端部を第１対向片に連結することにより形成され、
前記コーナー支持部のうちの他の２つは、各第２側板の他側の上縁に連設された第２連結片を内方に折り曲げ、該第２連結片の内方端に連設された第２対向片を下方に折り曲げて第２側板に対向させ、該第２対向片に連設され第２側板に沿って該第２側板の一側に向かって延びる第２帯片を多角筒状に折り曲げて該第２帯片の端部を第２対向片に連結することにより形成されることを特徴とする包装箱。
【請求項２】
前記第２対向片は、前記第２連結片に重合片を介して連設され、
前記第１帯片は、該重合片により互いに離間する該第２帯片と前記第２側板との間に沿って延設され、
第２対向片を重合片に重合させた状態で、重合片を介して第２対向片を第２連結片に対して下方に折り曲げることを特徴とする請求項１記載の包装箱。
【発明の詳細な説明】
【技術分野】
【０００１】
本発明は、所定形状に打ち抜いた１枚の段ボール板紙から形成される包装箱に関する。
【背景技術】
【０００２】
従来、この種の包装箱として、被包装物を収納する胴部の四隅部に角筒状の支持体を備えるものが知られている（下記特許文献１参照）。このものでは、矩形状の底板の４つの辺に連設された各側板を、底板に対して起立させることにより胴部が形成される。そして、角筒状の支持体は、胴部を形成する際に互いに対向して起立される一対の側板の上縁に連設された帯辺を、筒状に折り曲げることにより形成される。
【０００３】
このように、前記支持体を形成するための帯辺が側板に一体に連設されていることにより、１枚の段ボール板紙から箱形状に組立てるときに、角筒状の支持体も同時に組立てることができ、部材点数を少なくしてコストを削減することができる。
【先行技術文献】
【特許文献】
【０００４】
【特許文献１】特開平１１−１７１１６７号公報
【発明の概要】
【発明が解決しようとする課題】
【０００５】
ところで、上記従来の包装箱は、矩形状の底板の４つの辺の夫々に側板が連設されているために、未使用状態であるとき、展開状態で複数枚積み重ねて保管や輸送が行われる。しかし、上記従来の包装箱では、展開状態とされているときに、前記角筒状の支持体を形成するための帯辺が外方に張出しており、輸送の際等に帯辺が外部の他のものに接触すると帯辺に破れ等の損傷が生じやすい。
【０００６】
本発明は、上記の点に鑑み、１枚の段ボール板紙から形成することができて低コストであるだけでなく、展開状態のときに損傷し難く且つ組立て容易な包装箱を提供することを目的とする。
【課題を解決するための手段】
【０００７】
本発明は、所定形状に打ち抜いた１枚の段ボール板紙から形成される包装箱であって、一対の第１側板と一対の第２側板とが折目線を介して交互に配されて一方向に連設され、各折目線に沿って第１側板と第２側板とが直角となるように折り曲げて端部に位置する第１側板と第２側板とを連結することにより、両第１側板同士と両第２側板同士とが夫々対向する四角筒状の胴部が形成され、各第１及び第２側板の下縁に連設された底板フラップにより底部が閉塞されて胴部内に被包装物を収容するものにおいて、前記胴部の内部の四隅部に形成されて該胴部内の被包装物に当接する多角筒状の４つのコーナー支持部と、両第１側板の上縁に連設されて胴部の上部を閉塞する一対の天板フラップとを備え、前記コーナー支持部のうちの２つは、各第２側板の一側の上縁に連設された第１連結片を内方に折り曲げ、該第１連結片の内方端に連設された第１対向片を下方に折り曲げて第２側板に対向させ、該第１対向片に連設され第２側板に沿って該第２側板の他側に向かって延びる第１帯片を多角筒状に折り曲げて該第１帯片の端部を第１対向片に連結することにより形成され、前記コーナー支持部のうちの他の２つは、各第２側板の他側の上縁に連設された第２連結片を内方に折り曲げ、該第２連結片の内方端に連設された第２対向片を下方に折り曲げて第２側板に対向させ、該第２対向片に連設され第２側板に沿って該第２側板の一側に向かって延びる第２帯片を多角筒状に折り曲げて該第２帯片の端部を第２対向片に連結することにより形成されることを特徴とする。
【０００８】
本発明の包装箱を１枚の段ボール板紙から形成するときには、先ず、各第１側板及び各第２側板を各折目線に沿って折り曲げ、端部の第１側板と第２側板との端縁部を例えば接着により連結して四角筒状の胴部を形成する。次いで、各底板フラップを水平に折り曲げて胴部の下部を閉塞する。続いて、各第１連結片及び各第２連結片を水平に折り曲げ、各第１対向片及び各第２対向片を第２側板に対向させ、更に、各第１帯片及び各第２帯片を多角筒状に形成する。このとき、好ましくは、予め各第１帯片及び各第２帯片を多角筒状に形成した後に、各第１連結片及び各第２連結片を水平に折り曲げ、各第１対向片及び各第２対向片を第２側板に対向させるのがよい。こうして、胴部の内部の四隅部に４つのコーナー支持部が形成される。
【０００９】
以上のように、折目線に沿って各側板、各フラップ、及び各片を折り曲げて胴部の内部の四隅部に４つのコーナー支持部が設けられた包装箱を組立て形成することができるので組立て作業が容易であり、１枚の段ボール板紙から包装箱を形成することができるので複数の部材で形成するのに比べて低コストである。
【００１０】
また、各第１連結片及び各第２連結片と、各第１対向片及び各第２対向片とは、第２側板の上方に連設されていて、更に、各第１帯片が第２側板に沿って該第２側板の他側に向かって延びていると共に、各第２帯片が第２側板に沿って該第２側板の一側に向かって延びているので、展開状態においては、コーナー支持部を形成するための各片を２つの天板フラップに干渉することなく設けることができ、展開状態における２つの天板フラップの間にコーナー支持部を形成するための各片を配設することが可能となる。
【００１１】
本発明の包装箱は、四角筒状の胴部の上下がフラップにより閉塞される形状であるため、胴部を形成した後に扁平とすることができる。即ち、各側板に対して天板フラップ及び底板フラップを折り曲げずに、胴部の上下が開放された状態で胴部の一方の対角線上の角部を鋭角に折り曲げて扁平な状態とし、保管や輸送の際に積み重ねて束ねることができる。このとき、本発明によって展開状態における２つの天板フラップの間にコーナー支持部を形成するための各片を配設すれば、該コーナー支持部を形成する各片を、外方に延出させることなく天板フラップに重ね合わせることができるので、前記コーナー支持部を形成する各片が展開状態にあってもその破れ等の損傷を防止することができる。
【００１２】
また、本発明において、前記第２対向片は、前記第２連結片に重合片を介して連設され、前記第１帯片は、該重合片により互いに離間する該第２帯片と前記第２側板との間に沿って延設され、第２対向片を重合片に重合させた状態で、重合片を介して第２対向片を第２連結片に対して下方に折り曲げることを特徴とする。
【００１３】
これによれば、第１帯片と第２帯片とを互いに干渉させずに十分に長く延設することができる。このため、比較的大きなコーナー支持部を形成して、被包装物を確実に支持することができる。
【図面の簡単な説明】
【００１４】
【図１】本発明の実施形態の包装箱を示す斜視図。
【図２】図１の包装箱の展開図。
【図３】胴部を扁平に畳んだ状態の包装箱を示す平面図。
【図４】第１のコーナー支持部の組立て作業を示す説明図。
【図５】第２のコーナー支持部の組立て作業を示す説明図。
【図６】他の実施形態における包装箱の展開状態での要部を示す説明図。
【発明を実施するための形態】
【００１５】
本実施形態の包装箱１は、段ボール板紙により形成されており、図１において開蓋状態で示すように、四角筒状の胴部２と、胴部２の四隅部に形成された４つのコーナー支持部（２つの第１コーナー支持部３ａ及び２つの第２コーナー支持部３ｂ）とを備えている。
【００１６】
胴部２は、互いに対向する一対の第１側板４と、両第１側板４の対向方向に直交する方向に互いに対向する一対の第２側板５とにより形成され、後述する４枚の底板フラップ６により底部が閉塞される。
【００１７】
胴部２の内部には図示しない円形の被包装物（例えば、長尺の管体を巻回して円形に束ねたもの等）が収納される。各コーナー支持部３ａ，３ｂは、三角筒状に形成されており、胴部２の四隅部において被包装物の外周に接する。これにより、胴部２の内部に収納された被包装物の動きを規制し、胴部２の内部で被包装物を支持する。
【００１８】
包装箱１は、図２に展開状態で示すように、矩形の段ボール板紙から打ち抜かれたもので、一対の第１側板４と一対の第２側板５とが折目線を介して交互に配されて一方向に連設されている。第１側板４の上縁には折目線を介して天板フラップ７が連設されている。第１側板４及び第２側板５の下縁には夫々底板フラップ６が連設されている。また、図２において左端部の第１側板４には折目線を介して接着片８が連設されている。
【００１９】
第２側板５の図２において左端部の上縁には折目線を介して第１連結片９が連設され、右端部の上縁には折目線を介して第２連結片１０が連設され、更に、両連結片９，１０の間には折目線を介してフラップ受け片１１が連設されている。
【００２０】
第１連結片９の上縁には折目線を介して第１対向片１２が連設され、第１対向片１２の図２において右側縁には折目線を介して第１帯片１３が連設されている。第１帯片１３は、第２側板５に沿って延びており、中間部に形成された１つの折目線と、先端部に形成された第１係止溝１４とを備えている。第１対向片１２の左側縁には、第１係止溝１４が係止する第１係止段部１５が形成されている。これら、第１連結片９、第１対向片１２、及び第１帯片１３の各片は、第１コーナー支持部３ａを形成するために設けられている。
【００２１】
第２連結片１０の上縁には折目線を介して重合片１６が連設されている。重合片１６の上縁には第２対向片１７が連設され、第２対向片１７の図２において左側縁には折目線を介して第２帯片１８が連設されている。第２帯片１８は、第２側板５に沿って延びており、中間部に形成された１つの折目線と、先端部に形成された第２係止溝１９とを備えている。重合片１６及び第２対向片１７の右側縁には、第２係止溝１９が係止する第２係止段部２０が形成されている。これら、第２連結片１０、重合片１６、第２対向片１７、及び第２帯片１８の各片は、第２コーナー支持部３ｂを形成するために設けられている。
【００２２】
図２に示す展開状態において、第２帯片１８は、第２対向片１７が重合片１６を介して第２連結片１０に連設されていることによって、第１帯片１３の外側に設けられる。そして、第１コーナー支持部３ａ及び第２コーナー支持部３ｂを形成するための各片は、一対の天板フラップ７の間に収容されるようにして形成されている。
【００２３】
包装箱１は、次のようにして組立て形成される。先ず、胴部２を形成するために、図２における右端の第２側板５を、その左側に隣接する第１側板４上に折り返して重合させ、左端の第１側板４を、その右側に隣接する第２側板５上に折り返して重合させて、折り返した第１側板４と第２側板５同士を接着片８を介して接着することにより連結する。
【００２４】
これにより、図３に示すように、扁平な状態で胴部２が形成される。この状態で複数の包装箱１が積み重ねられ、保管や輸送が行われる。このとき、上述したように、第１コーナー支持部３ａ及び第２コーナー支持部３ｂを形成するための各片は、一対の天板フラップ７の間に収容されるようにして形成されているので、扁平な状態の包装箱１の周囲に第１コーナー支持部３ａ及び第２コーナー支持部３ｂを形成するための各片がはみ出さず、当該各片への外部からの接触が防止されるので、その損傷を防止することができる。
【００２５】
次いで、胴部２を四角筒状に広げ、底板フラップ６を水平に折り曲げて胴部２の底部を閉塞する。各底板フラップ６はステープラ又は接着テープ等で互いに連結固定されて胴部２の閉塞状態を維持する。
【００２６】
続いて、第１コーナー支持部３ａを形成する。即ち、図４（ａ）に示すように、先ず、第１帯片１３を第１対向片１２に対して外側に折り曲げる。更に、第１帯片１３をその中間部の折目線に沿って折り曲げる。そして、第１帯片１３の第１係止溝１４を第１対向片１２の第１係止段部１５に係止する。これによって、図４（ｂ）に示すように、三角筒状の第１コーナー支持部３ａが形成される。
【００２７】
次いで、第１連結片９を胴部２の内方側に水平に折り曲げ、更に第１対向片１２を第１連結片９に対して下方に折り曲げて第２側板５の内面に対向させる。これにより、図４（ｃ）に示すように、第１側板４と第２側板５とで形成される胴部２内の角部に三角筒状の第１コーナー支持部３ａが形成される。
【００２８】
続いて、第２コーナー支持部３ｂを形成する。即ち、図５（ａ）に示すように、第２連結片１０、重合片１６、及び第２対向片１７が第２側板５の上方に起立する状態から、図５（ｂ）に示すように、重合片１６に対して第２対向片１７を折り曲げ、更に、第２対向片１７を重合片１６に重合させる。そして、図５（ｃ）に示すように、第２帯片１８を第２対向片１７に対して外側に折り曲げ、第２帯片１８をその中間部の折目線に沿って折り曲げる。そして、第２帯片１８の第２係止溝１９を第２対向片１７の第２係止段部２０に係止する。これによって、第１コーナー支持部３ａと同じ形状である三角筒状の第２コーナー支持部３ｂが形成される。
【００２９】
次いで、第２連結片１０を胴部２の内方側に水平に折り曲げ、更に重合片１６を第２連結片１０に対して下方に折り曲げて第２対向片１７を第２側板５の内面に対向させる。これにより、図５（ｄ）に示すように、第１側板４と第２側板５とで形成される胴部２内の角部に三角筒状の第２コーナー支持部３ｂが形成される。
【００３０】
このとき、図２に示すように第１帯片１３と第２帯片１８とが展開状態で平行に延設されていることにより、図１に示すように４つのコーナー支持部３ａ，３ｂを比較的大きな三角筒状に形成することができる。
【００３１】
そして、以上のようにして組立てられた包装箱１の胴部２に被包装物を収納した後、天板フラップ７を水平に折り曲げて胴部２の上方を閉塞することで、被包装物の包装状態なる。
【００３２】
なお、本実施形態においては、各帯片１３，１８の中間部に１つの折目線を設けたことにより、各コーナー支持部３ａ，３ｂが三角筒状に形成されるものを示したが、これに限らず、各帯片１３，１８に所定間隔を存して複数の折目線を設けることで、図示しないが例えば四角筒状等の多角のコーナー支持部を形成することができる。
【００３３】
また、本実施形態においては、図２に示すように第１帯片１３と第２帯片１８とを展開状態で平行に延設したことにより、比較的大きな形状のコーナー支持部３ａ，３ｂを形成しているが、それ以外に、コーナー支持部３ａ，３ｂの所望形状が小さい場合には、図６に示すように、前記重合片１６を設けず、第１帯片１３´と第２帯片１８´とを互いに先端が突き当たる形状に形成することができる。この場合においても、扁平状態において各コーナー支持部３ａ，３ｂを形成する各片は一対の天板フラップ７の間に収容されて外方にはみ出さず、保管や輸送の際の損傷を防止することができる。
【符号の説明】
【００３４】
１…包装箱、２…胴部、３ａ…第１コーナー支持部（コーナー支持部）、３ｂ…第２コーナー支持部（コーナー支持部）、４…第１側板、５…第２側板、６…底板フラップ、７…天板フラップ、９…第１連結片、１０…第２連結片、１２…第１対向片、１３，１３´…第１帯片、１６…重合片、１７…第２対向片、１８，１８´…第２帯片。
【図１】
2010260579.tif 000003
【図２】
2010260579.tif 000004
【図３】
2010260579.tif 000005
【図４】
2010260579.tif 000006
【図５】
2010260579.tif 000007
【図６】
2010260579.tif 000008